(57)【要約】      （修正有）【課題】ロールを汚染及び傷つきから保護しつつロールを保持するともに、人の目視による検査が行いやすい、ロール保持治具を提供する。【解決手段】ロール保持治具１は、ロールのコア穴に挿入されることによりロールを上向きで浮かせた状態で支持するロール支持軸３０と、ロール支持軸の角度を変更する角度変更機構４０と、ロール支持軸の高さを変更する高さ変更機構５０と、を備える。【選択図】図１
0003194851.tif 000002
【実用新案登録請求の範囲】
【請求項１】
ロールのコア穴に挿入されることにより該ロールを上向きで浮かせた状態で支持するロール支持軸と、
前記ロール支持軸の角度を変更する角度変更機構と、
前記ロール支持軸の高さを変更する高さ変更機構と、を備えることを特徴とするロール保持治具。
【請求項２】
前記ロール支持軸の角度が、水平方向に対して１０〜９０°の範囲で変更可能である、請求項１に記載のロール保持治具。
【考案の詳細な説明】
【技術分野】
【０００１】
本考案は、ロール保持治具に関する。詳しくは、ロールの外観を検査するためのロール保持治具に関する。
【背景技術】
【０００２】
例えばポリオレフィン樹脂からなるシートは、有機溶媒耐性、電子絶縁性に優れることから、リチウムイオン二次電池など、種々の電池用セパレータとして使用されている。
このようなシートは、通常、円管状の支持管（コア）に巻回された巻回体（マザーロール）として構成されている。そして、出荷の際には、幅の広いシートを所望の寸法幅に裁断してから出荷している。電池用セパレータの場合、電池の寸法が様々なので、シートを電池の寸法に応じた幅に裁断（スリット）し、裁断されたシートをコアに捲回してスリットロールとして出荷されている（例えば特許文献１参照）。
【０００３】
近年では、電池の高容量化に伴って捲回する電極とセパレータとが長くなる傾向があり、さらには巻回工程の生産性を向上させるための高速生産を実施することもある。そのため、セパレータ巻回体には、例えば、耳立ち、巻きズレ、曲がり、皺等のない高品質性が求められている。
前記したような、耳立ち、巻きズレ、曲がり、皺等の欠陥の有無を調べる検査は、通常、人が目視でロールを観察することにより行われる。
【先行技術文献】
【特許文献】
【０００４】
【特許文献１】特開２００２−２７３６８４号公報
【考案の概要】
【考案が解決しようとする課題】
【０００５】
ところで、ロールを検査する際には、電池用セパレータとして求められる性質上、シートを傷つき及び埃による汚染等から保護する必要がある。
しかしながら、ロールは大きくて重いため、検査の際に、全体を観察するためにロールを手で持って回したりすることは大変困難なことであった。
また、検査時にロールに傷がついたり、汚染されたりする虞があった。そのため、シートが巻回されたロールを、傷つき及び汚染から保護しつつ検査ができる保持治具が求められている。
【０００６】
本考案は、上述した従来の実情に鑑みてなされたものであり、ロールを汚染及び傷つきから保護しつつロールを保持するともに、人の目視による検査が行いやすい、ロール保持治具を提供することを目的とする。
【課題を解決するための手段】
【０００７】
［１］
ロールのコア穴に挿入されることにより該ロールを上向きで浮かせた状態で支持するロール支持軸と、
前記ロール支持軸の角度を変更する角度変更機構と、
前記ロール支持軸の高さを変更する高さ変更機構と、を備えることを特徴とするロール保持治具。
［２］
前記ロール支持軸の角度が、水平方向に対して１０〜９０°の範囲で変更可能である、［１］に記載のロール保持治具。
【考案の効果】
【０００８】
本考案のロール保持治具では、ロールを上向きに浮かせた状態で保持することができるので、ロールを傷つけたりすることなく、検査が可能である。また、ロール支持軸の角度及び高さを変えられるため、ロール支持軸に保持されたロールの全体を見ることができ、外観検査を容易に行うことができる。
【図面の簡単な説明】
【０００９】
【図１】本考案のロール保持治具の一構成例を示す図である。
【図２】ロール支持軸にロールを嵌め込んだ状態を示す図である。
【図３】角度変更機構の部分を拡大して示す図である。
【図４】ロール支持軸の角度を変更した状態を示す図である。
【図５】ロール支持軸にロールを嵌め込んだ状態を示す図である。
【図６】ロール支持軸の高さを変更した状態を示す図である。
【考案を実施するための形態】
【００１０】
以下、本考案の実施の形態について、図面を参照しながら説明する。
図１は、本考案のロール保持治具の一構成例を示す図である。また、図２は、ロール支持軸にロールを嵌め込んだ状態を示す図である。
本考案のロール保持治具１は、ロール２のコア穴３に挿入されることにより該ロール２を上向きで浮かせた状態で支持するロール支持軸３０と、ロール支持軸３０の角度を変更する角度変更機構４０と、ロール支持軸３０の高さを変更する高さ変更機構５０と、を備えることを特徴とする。
本考案のロール保持治具１では、ロール２を上向きに浮かせた状態で保持することができるので、ロール２を傷つけたりすることなく、検査が可能である。また、ロール支持軸３０の角度及び高さを変えられるため、ロール支持軸３０に保持されたロール２の全体を見ることができ、外観検査を容易に行うことができる。
【００１１】
図１に示すロール保持治具１は、板状の台座部１０と、台座部１０の上面に設けられ、一体をなす支柱２０と、支柱２０の上部に設けられ、被検査体であるロール２が取り付けられるロール支持軸３０と、ロール支持軸３０と支柱２０との間に設けられロール支持軸３０の角度を変更する角度変更機構４０と、ロール支持軸３０の高さを変更する高さ変更機構５０と、を備えて構成される。
【００１２】
台座部１０は、ロール２を保持したときに、ロール２の重さで傾いたりしないように、所定の大きさ及び重さを有していることが好ましい。
支柱２０は、台座部１０の上面に略垂直に設けられている。支柱２０の上部にロール支持軸３０が取り付けられる。この支柱２０は、後述する高さ変更機構５０と一体をなしている。
【００１３】
図２に示すように、ロール支持軸３０は、ロール２のコア穴３に挿入されることにより、ロール２を上向きで浮かせた状態で支持する。ロール２を上向きで浮かせた状態で支持することにより、ロール２を傷つけたりすることなく、検査が可能である。また、ロール２を上向きで支持することで、ロール２がロール支持軸３０から外れて落下すること、及び、落下による傷つきが防止される。
ロール支持軸３０の形状及び大きさは、ロール２のコア穴３の形状及び大きさに合わせて決定される。ロール２のコア穴３に隙間なく嵌り込み保持できるように、ロール支持軸３０の形状及び大きさが決定される。
【００１４】
なお、ロール支持軸３０自体は回転しないが、ロール支持軸３０に保持されたロール２を、ロール支持軸３０の周囲を滑らせるようにして、軸周りに回転させることができる。ロール支持軸３０の表面は、例えば超高分子量ポリエチレン(ＵＨＭＷＰＥ)から成り、滑らかにされているので、ロール支持軸３０の周囲を滑らせてロール２を回転させることができる。これにより観察者は移動することなくロール２の全体を見ることができる。
また、ロール２をロール支持軸３０に支持させた状態で回転させることで、例えば後掲する図５に示すような比較的大きなロールや重いロールであっても、少ない力でロール２を回転させることができる。
また、ロール支持軸３０は、後述するように角度及び高さが変更可能であるので観察者の見やすい位置に調整することで、検査を行いやすくなる。
したがって、このロール保持治具１を用いることで、ロール２を転がしたり、観察者が移動したりする必要がなく、ロール２の全体を見ることができ、目視による検査を容易に行うことができる。また、ロール２を浮かせた状態で検査するため、ロール２の傷つきや汚染が防止される。
【００１５】
角度変更機構４０は、ロール支持軸３０の角度を変更する。
図３は、角度変更機構４０の部分を拡大して示す図であり、図４は、ロール支持軸３０の角度を変更した状態を示す図である。また、図５は、ロール支持軸３０にロール２を嵌め込んだ状態で、ロール支持軸３０の角度を変更した状態を示す図である。
角度変更機構４０は、中途部で屈曲した角度規制板４１を有している。角度規制板４１の一方の端部は、支柱２０（内筒５２）の上端部に固定され、他方の端部は、支柱２０に対して斜めになるようにロール支持軸３０の内部に挿入される。
そして、ロール支持軸３０は、角度規制板４１の屈曲部近傍において回動可能に支持されている。ロール支持軸３０は、内部に挿入された角度規制板４１によって回動範囲が規制される。すなわち、ロール支持軸３０は、所定の角度範囲で、角度規制板４１の屈曲部の回りを回動可能である。これにより、角度変更機構４０は、ロール支持軸３０の支柱２０に対する角度を変更可能である。また、角度変更機構４０は、ロール支持軸３０と連結固定された角度変更レバー４２を有している。観察者は、この角度変更レバー４２を持って角度の変更操作を行うことができる。この角度変更レバー４２は、一定以上の重量を有するバランサーとしての役割もあり、重いロールを観察する場合でもロール支持軸３０を観察しやすい角度で保持することができる。
ロール支持軸３０の角度θは、水平方向に対し例えば１０〜９０°の範囲で変更可能である。図５に示すように、ロール支持軸３０の角度を適宜変更することで、目視による検査が行いやすくなる。
【００１６】
高さ変更機構５０は、ロール支持軸３０の高さを変更する。
図６は、ロール支持軸の高さを変更した（高くした）状態を示す図である。
高さ変更機構５０は、例えばバネ、又は、ガススプリングである。ガススプリングには、公知のロック機構付のガススプリングを適用することができる。
例えばガススプリングを適用する場合、高さ変更機構５０は、支柱２０と一体をなし下端が台座部１０に固定された有底筒状の外筒５１（シリンダ）と、該外筒５１に対して摺動自在に嵌合された内筒５２（ピストンロッド）と、を備える。ピストンロッドは、シリンダ内を二つの室に区画する。シリンダ内には、圧縮空気や圧縮窒素ガス等の加圧されたガスが封入されており、ピストン後室にガスが供給されると、そのガス圧を受けた内筒５２が押し出される。内筒５２の上端部には、上述した角度変更機構４０を介してロール支持軸３０が固定されている。よって、外筒５１に対して内筒５２が上下方向に摺動することにより、ロール支持軸３０の高さを変更することができる。
【００１７】
また、高さ変更機構５０において、外筒５１の上端には、ガススプリングのロック機構を設定／解除するための高さ変更レバー５３が設けられている。高さ変更レバー５３を操作してロック機構を解除することによって、外筒５１に対して内筒５２が摺動自在になる。すなわち、ロール支持軸３０の高さを変更することができる。ロック機構を設定することによって、外筒５１に対する内筒５２の摺動が規制（ロック）される。すなわち、ロール支持軸３０の高さが固定される。
このように、高さ変更機構５０においてロール支持軸３０の高さを変更することができる。ロール支持軸３０の高さを観察者が見やすい高さに適宜変更することで、目視による検査が行いやすくなる。
【００１８】
以上説明してきたように、本考案のロール保持治具では、ロールを浮かせた状態で保持することができるので、ロールを傷つけたりすることなく、検査が可能である。また、ロール支持軸の角度及び高さを変えられるため、ロール支持軸に保持されたロールの全体を見ることができ、外観検査を容易に行うことができる。
【００１９】
以上、本考案の実施の形態について説明してきたが、本考案はこれに限定されるものではなく、考案の趣旨を逸脱しない範囲で適宜変更可能である。
【産業上の利用可能性】
【００２０】
本考案によるロール保持治具を用いることで、ロールを浮かせた状態で保持することができるので、ロールを傷つけたりすることなく検査が可能となり、セパレータ用のロール保持治具として広く利用することができる。
【符号の説明】
【００２１】
１    ロール保持治具
２    ロール
３    コア穴
１０    台座部
２０    支柱
３０    ロール支持軸
４０    角度変更機構
４１    角度規制板
４２    角度変更レバー
５０    高さ変更機構
５１    外筒
５２    内筒
５３    高さ変更レバー
【図１】
0003194851.tif 000003
【図２】
0003194851.tif 000004
【図３】
0003194851.tif 000005
【図４】
0003194851.tif 000006
【図５】
0003194851.tif 000007
【図６】
0003194851.tif 000008